(57)【要約】  本願の実施例は伝送設定方法及び関連製品を開示し、ネットワーク装置は端末に伝送設定指標TCI状態セットを指示し、TCI状態セットは端末の帯域幅部分BWPに対して設定されるものであり、TCI状態セットは端末がBWPにおいて伝送する時の準同一アドレスQuasi co-location仮定セットを指示することに用いられることを含む。本願の実施例は異なるBWPにおいてより柔軟に伝送時の準同一アドレス仮定状態を設定し、BWPに関連するビーム管理効率とシステム性能を高めるのに有利である。
2021515421.tif 000002
【特許請求の範囲】
【請求項１】
ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含むことを特徴とする伝送設定方法。
【請求項２】
前記TCI状態セットは少なくとも1つのTCI状態セットを含み、各TCI状態セットは前記端末の1つ又は複数のBWPに対応することを特徴とする請求項1に記載の方法。
【請求項３】
前記TCI状態セットはK個のTCI状態を含み、Kは8よりも大きい正の整数であり、前記方法は更に、
前記ネットワーク装置は前記TCI状態セットから、目標BWPに対応する目標TCI状態セットを選択することと、
前記ネットワーク装置は前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項４】
前記TCI状態セットはK個のTCI状態を含み、Kは8以下の正の整数であり、前記方法は更に、
前記ネットワーク装置は前記TCI状態セットから、目標BWPに対応する目標TCI状態セットを選択することと、
前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項５】
前記TCI状態セットはX個のTCI状態セットを含み、Xは正の整数であり、前記方法は更に、
前記ネットワーク装置は前記端末に前記X個のTCI状態セットを設定し、及び/又は、一部又は全部のTCI状態セットに対して、メディアアクセス制御層制御ユニットMAC CEを用いて対応の8つの状態を選択し、各TCI状態セットは1つ又は複数のBWPに対応することと、
前記ネットワーク装置は前記端末の前記BWPのアクティベーションを指示し、前記指示は前記端末が前記BWPに対応するTCI状態セットを確定すること、及び/又は、前記BWPに対応する前記8つの状態を確定することに用いられることと、を含むことを特徴とする請求項1〜4のいずれか1項に記載の方法。
【請求項６】
前記TCI状態セットはX個のTCI状態セットを含み、各TCI状態セットはK個のTCI状態を含み、Kは8よりも大きい正の整数であり、前記方法は更に、
前記ネットワーク装置が前記端末の前記BWPのアクティベーションを指示する場合、MAC CEを用いて前記X個のTCI状態セットから、前記BWPに対応するTCI状態セットに含まれる8つの状態を選択し、前記X個のTCI状態セットは上位層シグナリングにより予め設定されたものであり、Xは正の整数であることを含むことを特徴とする請求項1〜4のいずれか1項に記載の方法。
【請求項７】
前記方法は更に、
前記ネットワーク装置が前記端末のBWPのアクティベーションを指示する場合、前記BWPに対応のTCI状態セットを設定し、及び/又は、メディアアクセス制御層制御ユニットMAC CEを用いて対応の8つの状態を選択することを含むことを特徴とする請求項1〜4のいずれか1項に記載の方法。
【請求項８】
端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含むことを特徴とする伝送設定方法。
【請求項９】
前記TCI状態セットは少なくとも1つのTCI状態セットを含み、各TCI状態セットは前記端末の1つ又は複数のBWPに対応することを特徴とする請求項8に記載の方法。
【請求項１０】
前記TCI状態セットはK個のTCI状態を含み、Kは8よりも大きい正の整数であり、前記方法は更に、
前記端末はダウンリンク制御情報DCIを受信し、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１１】
前記TCI状態セットはK個のTCI状態を含み、Kは8以下の正の整数であり、前記方法は更に、
前記端末はダウンリンク制御情報DCIを受信し、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１２】
TCI状態セットはX個のTCI状態セットを含み、Xは正の整数であり、前記方法は更に、
前記端末はネットワーク装置からの、前記BWPをアクティベーションする指示を受信することと、
前記端末は前記BWPに対応するTCI状態セットを確定し、前記TCI状態セットは、前記ネットワーク装置が設定した前記X個のTCI状態セットにおけるTCI状態セットであり、各TCI状態セットは1つ又は複数のBWPに対応することと、を含み、及び/又は、
前記端末はネットワーク装置からの、前記BWPをアクティベーションする指示を受信することと、
前記端末は前記BWPに対応する8つの状態を確定し、前記8つの状態は、前記ネットワーク装置がメディアアクセス制御層制御ユニットMAC CEを用いて前記BWPに対応するTCI状態セットから選択した状態であることと、を含むことを特徴とする請求項8〜11のいずれか1項に記載の方法。
【請求項１３】
処理ユニットと通信ユニットを備え、
前記処理ユニットは、端末に伝送設定指標TCI状態セットを指示することに用いられ、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを特徴とするネットワーク装置。
【請求項１４】
処理ユニットと通信ユニットを備える端末であって、
前記処理ユニットは、ネットワーク装置からの伝送設定指標TCI状態セットを受信することに用いられ、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを特徴とする端末。
【請求項１５】
プロセッサ、メモリ、送受信機、1つ又は複数のプログラムを備え、前記1つ又は複数のプログラムは前記メモリに記憶されて、前記プロセッサにより実行されるように設定され、前記プログラムは、請求項1〜7のいずれか1項に記載の方法におけるステップを実行するための指令を含むことを特徴とするネットワーク装置。
【請求項１６】
プロセッサ、メモリ、通信インタフェース、1つ又は複数のプログラムを備え、前記1つ又は複数のプログラムは前記メモリに記憶されて、前記プロセッサにより実行されるように設定され、前記プログラムは、請求項8〜12のいずれか1項に記載の方法におけるステップを実行するための指令を含むことを特徴とする端末。
【請求項１７】
電子データ交換のためのコンピュータプログラムが記憶され、前記コンピュータプログラムによりコンピュータは請求項1〜7のいずれか1項に記載の方法を実行することを特徴とするコンピュータ読み取り可能な記憶媒体。
【請求項１８】
電子データ交換のためのコンピュータプログラムが記憶され、前記コンピュータプログラムによりコンピュータは請求項8〜12のいずれか1項に記載の方法を実行することを特徴とするコンピュータ読み取り可能な記憶媒体。
【発明の詳細な説明】
【技術分野】
【０００１】
本願は通信技術の分野に関し、特に伝送設定方法及び関連製品に関する。
【背景技術】
【０００２】
新無線（NR、New radio）において、1つのキャリアは複数の帯域幅部分（Bandwidth Part、BWP）を含んでもよい。1つの端末にとって、アップリンク伝送のためにアクティベーションされることができるアップリンクBWPは、1つのタイミングに1つしかない。同様に、ダウンリンク伝送のためにアクティベーションされることができるダウンリンクBWPは、1つのタイミングに1つしかない。端末が現在どのBWPをアクティベーションするかは、ダウンリンク制御情報（Downlink Control Information、DCI）等により指示されており、端末が伝送に用いるBWPは、1つのキャリアにおける複数のBWPにおいて動的に切り替えることができる。どのように異なるBWPにおいて伝送するように端末を効率的に設定するかは、解決すべき技術課題となる。
【発明の概要】
【発明が解決しようとする課題】
【０００３】
本願の実施例は伝送設定方法及び関連製品を提供し、異なるBWPにおいてより柔軟に伝送時の準同一アドレス仮定状態を設定し、BWPに関連するビーム管理効率とシステム性能を高めるのに有利である。
【課題を解決するための手段】
【０００４】
第1の態様において、本願の実施例は伝送設定方法を提供し、
ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含む。
【０００５】
第2の態様において、本願の実施例は伝送設定方法を提供し、
端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含む。
【０００６】
第3の態様において、本願の実施例はネットワーク装置を提供し、該ネットワーク装置は上記方法設計における第1のネットワーク装置の挙動を実現する機能を有する。前記機能はハードウェアによって実現されてもよく、ハードウェアが対応のソフトウェアを実行することによって実現されてもよい。前記ハードウェア又はソフトウェアは、上記機能に対応する1つ又は複数のモジュールを含む。1つの可能な設計において、ネットワーク装置はプロセッサを備え、前記プロセッサはネットワーク装置が上記方法における対応の機能を実行することをサポートするように設定される。更に、ネットワーク装置は送受信機を備えてもよく、前記送受信機はネットワーク装置と端末との間の通信をサポートすることに用いられる。更に、ネットワーク装置はメモリを備えてもよく、前記メモリはプロセッサとカップリングすることに用いられ、ネットワーク装置に必要なプログラム指令とデータを保存する。
【０００７】
第4の態様において、本願の実施例は端末を提供し、該端末は上記方法設計における端末の挙動を実現する機能を有する。前記機能はハードウェアによって実現されてもよく、ハードウェアが対応のソフトウェアを実行することによって実現されてもよい。前記ハードウェア又はソフトウェアは、上記機能に対応する1つ又は複数のモジュールを含む。1つの可能な設計において、端末はプロセッサを備え、前記プロセッサは端末が上記方法における対応の機能を実行することをサポートするように設定される。更に、端末は送受信機を備えてもよく、前記送受信機は端末とネットワーク装置との間の通信をサポートすることに用いられる。更に、端末はメモリを備えてもよく、前記メモリはプロセッサとカップリングすることに用いられ、端末に必要なプログラム指令とデータを保存する。
【０００８】
第5の態様において、本願の実施例はネットワーク装置を提供し、プロセッサ、メモリ、送受信機、1つ又は複数のプログラムを備え、前記1つ又は複数のプログラムは前記メモリに記憶されて、前記プロセッサにより実行されるように設定され、前記プログラムは、本願の実施例の第1の態様のいずれかの方法におけるステップを実行するための指令を含む。
【０００９】
第6の態様において、本願の実施例は端末を提供し、プロセッサ、メモリ、通信インタフェース、1つ又は複数のプログラムを備え、前記1つ又は複数のプログラムは前記メモリに記憶されて、前記プロセッサにより実行されるように設定され、前記プログラムは、本願の実施例の第2の態様のいずれかの方法におけるステップを実行するための指令を含む。
【００１０】
第7の態様において、本願の実施例はコンピュータ読み取り可能な記憶媒体を提供し、前記コンピュータ読み取り可能な記憶媒体は電子データ交換のためのコンピュータプログラムを記憶し、前記コンピュータプログラムによりコンピュータは本願の実施例の第1の態様のいずれかの方法に記載の一部又は全部のステップを実行する。
【００１１】
第8の態様において、本願の実施例はコンピュータ読み取り可能な記憶媒体を提供し、前記コンピュータ読み取り可能な記憶媒体は電子データ交換のためのコンピュータプログラムを記憶し、前記コンピュータプログラムによりコンピュータは本願の実施例の第2の態様のいずれかの方法に記載の一部又は全部のステップを実行する。
【００１２】
第9の態様において、本願の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは本願の実施例の第1の態様のいずれかの方法に記載の一部又は全部のステップを実行する。該コンピュータプログラム製品は、1つのソフトウェアインストールパッケージであってもよい。
【００１３】
第10の態様において、本願の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは本願の実施例の第2の態様のいずれかの方法に記載の一部又は全部のステップを実行する。該コンピュータプログラム製品は、1つのソフトウェアインストールパッケージであってもよい。
【００１４】
これから分かるように、本願の実施例において、ネットワーク装置は端末に伝送設定指標TCI状態セットを指示し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【図面の簡単な説明】
【００１５】
以下、実施例又は従来技術の説明に必要な図面を簡単に説明する。
【００１６】
【図１】図1は本願の実施例によるデータ複製機能をサポートするデュアル接続伝送モードのプロトコルアーキテクチャの例示である。
【図２】図2は本願の実施例による伝送設定方法のフロー模式図である。
【図３】図3は本願の実施例による伝送設定方法のフロー模式図である。
【図４】図4は本願の実施例による伝送設定方法のフロー模式図である。
【図５】図5は本願の実施例によるネットワーク装置の構造模式図である。
【図６】図6は本願の実施例による端末の構造模式図である。
【図７】図7は本願の実施例によるネットワーク装置の構造模式図である。
【図８】図8は本願の実施例による端末の構造模式図である。
【発明を実施するための形態】
【００１７】
以下、図面を参照して、本願の実施例による技術的手段を説明する。
【００１８】
図1は本願に係る無線通信システムを示す。前記無線通信システムは高周波数帯域で動作することができ、将来進化する第5世代移動通信（the 5th Generation、5G）システム、新無線(NR)システム、マシンツーマシン通信（Machine to Machine、M2M）システム等であってもよい。図示のように、無線通信システム100は、1つ又は複数のネットワーク装置101、1つ又は複数の端末103、及びコアネットワーク装置105を備えてもよい。ここで、ネットワーク装置101は基地局であってもよく、基地局は1つ又は複数の端末と通信することに用いられてもよく、一部の端末機能を持つ1つ又は複数の基地局と通信することにも用いられてもよい(例えば、マクロ基地局とマイクロ基地局、例えばアクセスポイント、の間の通信)。基地局は時分割同期符号分割多元接続（Time Division Synchronous Code Division Multiple Access、TD-SCDMA）システムにおける基地局送受信局（Base Transceiver Station、BTS）であってもよく、LTEシステムにおける進化型基地局（Evolutional Node B、eNB）、及び5Gシステム、新無線(NR)システムにおける基地局であってもよい。また、基地局はアクセスポイント（Access Point、AP）、伝送ノード（Trans TRP）、センターユニット（Central Unit、CU）又は他のネットワークエンティティであってもよく、上記ネットワークエンティティの機能の一部又は全部を含んでもよい。コアネットワーク装置105はサービスゲートウェイ（Serving GateWay、SGW）等のコアネットワーク側の装置を含む。端末103は無線通信システム100全体に分布してもよく、静止してもよく、移動してもよい。本願のいくつかの実施例において、端末103は移動装置（例えばスマートフォン）、移動局（mobile station）、移動ユニット（mobile unit）、M2M端末、無線ユニット、リモートユニット、ユーザエージェント、移動クライアント等であってもよい。
【００１９】
なお、図1に示す無線通信システム100は、本願の技術的手段をより明確に説明するためのものに過ぎず、本願を限定するものではない。当業者が理解できるように、ネットワークアーキテクチャの進化及び新しいサービスシーンの出現に伴い、本願による技術的手段は類似の技術課題に対しても同様に適用する。
【００２０】
以下、本願に係る関連技術を説明する。
【００２１】
従来、現在のNR設計において、1つの端末は複数のダウンリンクDL BWP又はアップリンクUL BWPを設定することができ、且つDCI/メディアアクセス制御層制御ユニットMAC CE等の方式により、比較的動的に異なるBWPにおいて伝送することができる。
【００２２】
しかし、現在のビーム管理メカニズムにおいて、多くの設定は上記BWPの動的な切替え挙動を効果的にサポートすることができない。例えば、NRにおいてネットワークはK個の伝送設定指標（Transmission Configuration Indicator、TCI）の状態statesを設定することができ、K>8である場合、K個の状態からMAC CEにより8つの状態を選択して、DCIにおける3 bitの指示情報に対応する必要があり、K<=8である場合、K個の状態をDCIにおける3bitの指示情報に対応する。具体的な対応方式は、プロトコル規定、又はネットワーク設定であってもよい。BWPの動的な切り替え(例えば、4つのBWPの動的な切り替え)をサポートする場合、8つの状態がそれぞれ4つのBWPに対応すると、各BWPには平均2つの状態しかないので、各BWPにはビームの選択と指示を大幅に制限する(2つの異なるビーム指示に対応する)。そのため、既存手段と動的BWP手段は効率的に連携して動作することができない。
【００２３】
上述問題に対して、本願の実施例は以下の実施例を提案し、以下では図面を参照して詳細に説明する。
【００２４】
図2を参照して、図2は本願の実施例による伝送設定方法であり、上記例示的な通信システムに適用され、該方法は、
201部分において、ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含む。
【００２５】
ここで、前記準同一アドレス仮定セットとは、複数の準同一アドレス仮定からなるセットを指し、各準同一アドレス仮定は1つ又は複数の参照信号を含んでもよく、ある目標信号がこの準同一アドレス仮定に関連すれば、この目標信号は、上記1つ又は複数の信号に対応するチャネルのいくつかの大規模な情報と類似又は同一であると考えられ、具体的な大規模な情報は準同一アドレス仮定に含まれてもよい。
【００２６】
これから分かるように、本願の実施例において、ネットワーク装置は端末に伝送設定指標TCI状態セットを指示し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができることが分かる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【００２７】
可能な一例において、前記TCI状態セットは少なくとも1つのTCI状態セットを含み、各TCI状態セットは前記端末の1つ又は複数のBWPに対応する。
【００２８】
可能な一例において、前記TCI状態セットはK個のTCI状態を含み、Kは8よりも大きい正の整数であり、前記方法は更に、前記ネットワーク装置は前記TCI状態セットから、目標BWPに対応する目標TCI状態セットを選択することと、前記ネットワーク装置は前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられることと、を含む。
【００２９】
ここで、前記準同一アドレス仮定状態は1つ又は複数の参照信号を含んでもよく、ある目標信号がこの準同一アドレス仮定に関連すれば、この目標信号は、上記1つ又は複数の信号に対応するチャネルのいくつかの大規模な情報と類似又は同一であると考えられ、具体的な大規模な情報は準同一アドレス仮定に含まれてもよい。
【００３０】
可能な一例において、前記TCI状態セットはK個のTCI状態を含み、Kは8以下の正の整数であり、前記方法は更に、前記ネットワーク装置は前記TCI状態セットから、目標BWPに対応する目標TCI状態セットを選択することと、前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられることと、を含む。
【００３１】
例を挙げると、ネットワーク装置が選択した目標BWPに対応する目標TCI状態セットは6つの状態を含む場合、該6つの状態とDCIの3つのビット位の指示情報との間の対応関係は表1に示す。
【００３２】
【表１】
2021515421.tif 000003
【００３３】
可能な一例において、前記TCI状態セットはX個のTCI状態セットを含み、Xは正の整数であり、前記方法は更に、前記ネットワーク装置は前記端末に前記X個のTCI状態セットを設定し、及び/又は、一部又は全部のTCIセットに対して、メディアアクセス制御層制御ユニットMAC CEを用いて対応の8つの状態を選択し、各TCI状態セットは1つ又は複数のBWPに対応することと、前記ネットワーク装置は前記端末の前記BWPのアクティベーションを指示し、前記指示は前記端末が前記BWPに対応するTCI状態セットを確定すること、及び/又は、前記BWPに対応する前記8つの状態を確定することに用いられることと、を含む。
【００３４】
1つの例示において、前記ネットワーク装置は前記端末にX個のTCI状態セットを設定してもよく、前記端末の前記BWPのアクティベーションを指示し、前記指示は前記端末が前記BWPに対応するTCI状態セットを確定することに用いられる。
【００３５】
他の例示において、前記ネットワーク装置は一部又は全部のTCIセットに対して、メディアアクセス制御層制御ユニットMAC CEを用いて対応の8つの状態を選択し、及び前記端末の前記BWPのアクティベーションを指示してもよく、前記指示は前記端末が前記BWPに対応する前記8つの状態を確定することに用いられる。
【００３６】
これから分かるように、本例示において、ネットワーク装置はX個のTCI状態セットを設定すること、及び/又は、一部又は全部のTCIセットに対して、メディアアクセス制御層制御ユニットMAC CEを用いて対応の8つの状態を選択することにより、端末はBWPに対応するTCI状態セットを確定でき、及び/又は、BWPに対応する8つの状態を確定できる。柔軟性を更に高める。
【００３７】
可能な一例において、前記TCI状態セットはX個のTCI状態セットを含み、各TCI状態セットはK個のTCI状態を含み、Kは8よりも大きい正の整数であり、前記方法は更に、前記ネットワーク装置が前記端末の前記BWPのアクティベーションを指示する場合、MAC CEを用いて前記X個のTCIセットから、前記BWPに対応するTCIセットに含まれる8つの状態を選択し、前記X個のTCIセットは上位層シグナリングにより予め設定されたものであり、Xは正の整数であることを含む。
【００３８】
これから分かるように、本例示において、Kが8よりも大きい場合に対して、ネットワーク装置は、端末の前記BWPをアクティベーションする時に、直接にMAC CEを用いてBWPに対応するTCIセットに含まれる8つの状態を選択して、設定効率を高めることができる。
【００３９】
可能な一例において、前記方法は更に、前記ネットワーク装置が前記端末のBWPのアクティベーションを指示する場合、前記BWPに対応の前記TCI状態セットを設定し、及び/又は、メディアアクセス制御層制御ユニットMAC CEを用いて対応の8つの状態を選択することを含む。
【００４０】
ここで、前記ネットワーク装置がMAC CEを用いて選択した8つの状態は、端末が前記BWPにおいて伝送する際にDCIにおける3 bitを用いて指示する準同一アドレスQuasi co-location仮定状態を指示することに用いられる。
【００４１】
図2に示す実施例と同様に、図3を参照して、図3は本願の実施例による他の伝送設定方法であり、上記例示的な通信システムに適用され、該方法は、
301部分において、端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることを含む。
【００４２】
これから分かるように、本願の実施例において、端末はネットワーク装置からの伝送設定指標TCI状態セットを受信し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができることが分かる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【００４３】
可能な一例において、前記TCI状態セットは少なくとも1つのTCI状態セットを含み、各TCI状態セットは前記端末の1つ又は複数のBWPに対応する。
【００４４】
可能な一例において、前記TCI状態セットはK個のTCI状態を含み、Kは8よりも大きい正の整数であり、前記方法は更に、前記端末はダウンリンク制御情報DCIを受信し、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられることを含む。
【００４５】
可能な一例において、前記TCI状態セットはK個のTCI状態を含み、Kは8以下の正の整数であり、前記方法は更に、前記端末はダウンリンク制御情報DCIを受信し、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられることを含む。
【００４６】
可能な一例において、前記方法は更に、前記端末はネットワーク装置からの、前記BWPをアクティベーションする指示を受信することと、前記端末は前記BWPに対応するTCI状態セットを確定し、前記TCI状態セットは、前記ネットワーク装置が設定したX個のTCI状態セットにおけるTCI状態セットであり、各TCI状態セットは1つ又は複数のBWPに対応し、Xは正の整数であることと、を含み、及び/又は、前記端末はネットワーク装置からの、前記BWPをアクティベーションする指示を受信することと、前記端末は前記BWPに対応する8つの状態を確定し、前記8つの状態は、前記ネットワーク装置がメディアアクセス制御層制御ユニットMAC CEを用いて前記BWPに対応するTCI状態セットから選択した状態であることと、を含む。
【００４７】
図2と図3に示す実施例と同様に、図4を参照して、図4は本願の実施例による伝送設定方法であり、上記例示的な通信システムに適用され、該方法は、
401部分において、ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることと、
402部分において、端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられることと、を含む。
【００４８】
これから分かるように、本願の実施例において、ネットワーク装置は端末に伝送設定指標TCI状態セットを指示し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができることが分かる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【００４９】
上記実施例と同様に、図5を参照して、図5は本願の実施例によるネットワーク装置の構造模式図であり、該ネットワーク装置は第1のネットワーク装置であり、図面に示すように、該ネットワーク装置はプロセッサ、メモリ、送受信機、1つ又は複数のプログラムを備え、前記1つ又は複数のプログラムは前記メモリに記憶されて、前記プロセッサにより実行されるように設定され、前記プログラムは、
端末に伝送設定指標TCI状態セットを指示するステップを実行するための指令を含み、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられる。
【００５０】
これから分かるように、本願の実施例において、ネットワーク装置は端末に伝送設定指標TCI状態セットを指示し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができることが分かる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【００５１】
可能な一例において、前記TCI状態セットは少なくとも1つのTCI状態セットを含み、各TCI状態セットは前記端末の1つ又は複数のBWPに対応する。
【００５２】
可能な一例において、前記TCI状態セットはK個のTCI状態を含み、Kは8よりも大きい正の整数であり、前記プログラムは更に、前記TCI状態セットから、目標BWPに対応する目標TCI状態セットを選択するステップと、前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられるステップと、を実行するための指令を含む。
【００５３】
可能な一例において、前記TCI状態セットはK個のTCI状態を含み、Kは8以下の正の整数であり、前記プログラムは更に、前記TCI状態セットから、目標BWPに対応する目標TCI状態セットを選択するステップと、前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられるステップと、を実行するための指令を含む。
【００５４】
可能な一例において、前記TCI状態セットはX個のTCI状態セットを含み、Xは正の整数であり、前記プログラムは更に、前記端末に前記X個のTCI状態セットを設定し、及び/又は、一部又は全部のTCIセットに対して、メディアアクセス制御層制御ユニットMAC CEを用いて対応の8つの状態を選択し、各TCI状態セットは1つ又は複数のBWPに対応するステップと、前記端末の前記BWPのアクティベーションを指示し、前記指示は前記端末が前記BWPに対応するTCI状態セットを確定すること、及び/又は、前記BWPに対応する前記8つの状態を確定することに用いられるステップと、を実行するための指令を含む。
【００５５】
可能な一例において、前記TCI状態セットはX個のTCI状態セットを含み、各TCI状態セットはK個のTCI状態を含み、Kは8よりも大きい正の整数であり、前記プログラムは更に、前記端末の前記BWPのアクティベーションを指示する場合、MAC CEを用いて前記X個のTCIセットから、前記BWPに対応するTCIセットに含まれる8つの状態を選択するステップを実行するための指令を含み、前記X個のTCIセットは上位層シグナリングにより予め設定されたものであり、Xは正の整数である。
【００５６】
可能な一例において、前記プログラムは更に、前記端末のBWPのアクティベーションを指示する場合、前記BWPに対応のTCI状態セットを設定し、及び/又は、メディアアクセス制御層制御ユニットMAC CEを用いて対応の8つの状態を選択するステップを実行するための指令を含む。
【００５７】
上記実施例と同様に、図6を参照して、図6は本願の実施例による端末の構造模式図であり、図面に示すように、該端末はプロセッサ、メモリ、通信インタフェース、及び1つ又は複数のプログラムを備え、前記1つ又は複数のプログラムは前記メモリに記憶されて、前記プロセッサにより実行されるように設定され、前記プログラムは、
ネットワーク装置からの伝送設定指標TCI状態セットを受信するステップを実行するための指令を含み、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられる。
【００５８】
これから分かるように、本願の実施例において、端末はネットワーク装置からの伝送設定指標TCI状態セットを受信し、該TCI状態セットは端末の帯域幅部分BWPに対して設定されるものであり、且つ該TCI状態セットは端末がBWPにおいて伝送する時の準同一アドレスQuasi co-location仮定セットを指示することに用いられる。従って、端末の異なるBWPに対して、各BWPに対してそれぞれ1セットのTCI状態セットを設定することで、柔軟性を効果的に得ることができることが分かる。例えば、異なる帯域幅部分BWPにおいて、TCI状態に含まれる参照の信号（CSI-RS、SS/PBCH block）は異なるため、異なるBWPに対して異なるTCI状態セットを設定する必要があり、そうしなければ比較的良くビーム管理を行うことができない。逆に、異なるBWPに対して同一のTCI状態セットを使用する場合、BWPの周波数領域の間隔が大きければ、beamの選択は適切でなくなり、同時に、端末は異なるBWPの間で切り替えなければ対応の参照のRS又はSS/PBCH blockを測定することができない。
【００５９】
可能な一例において、前記TCI状態セットは少なくとも1つのTCI状態セットを含み、各TCI状態セットは前記端末の1つ又は複数のBWPに対応する。
【００６０】
可能な一例において、前記TCI状態セットはK個のTCI状態を含み、Kは8よりも大きい正の整数であり、前記プログラムは更に、ダウンリンク制御情報DCIを受信するステップを実行するための指令を含み、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられる。
【００６１】
可能な一例において、前記TCI状態セットはK個のTCI状態を含み、Kは8以下の正の整数であり、前記プログラムは更に、ダウンリンク制御情報DCIを受信するステップを実行するための指令を含み、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられる。
【００６２】
可能な一例において、TCI状態セットはX個のTCI状態セットを含み、Xは正の整数であり、前記プログラムは更に、ネットワーク装置からの、前記BWPをアクティベーションする指示を受信するステップと、前記BWPに対応するTCI状態セットを確定し、前記TCI状態セットは前記ネットワーク装置が設定した前記X個のTCI状態セットにおけるTCI状態セットであり、各TCI状態セットは1つ又は複数のBWPに対応するステップと、を実行するための指令を含み、及び/又は、ネットワーク装置からの、前記BWPをアクティベーションする指示を受信するステップと、前記BWPに対応する8つの状態を確定し、前記8つの状態は、前記ネットワーク装置がメディアアクセス制御層制御ユニットMAC CEを用いて前記BWPに対応するTCI状態セットから選択した状態であるステップと、を実行するための指令を含む。
【００６３】
以上では主に各ネットワークエレメントの間のインタラクションの角度から本願の実施例の手段を説明した。理解できるように、端末及びネットワーク装置は上記機能を実現するために、それぞれの機能を実行する相応的なハードウェア構造及び/又はソフトウェアモジュールを備える。当業者が容易に認識できるように、本明細書で開示する実施例に説明した様々な例示のユニット及びアルゴリズムステップについて、本願はハードウェア、又はハードウェアとコンピュータソフトウェアとの組合せの形式で実現できる。ある機能がハードウェアで実行されるかそれともコンピュータソフトウェアのハードウェアへの駆動で実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【００６４】
本願の実施例は上記方法例に基づいて、端末及びネットワーク装置に対して機能ユニットの区分を行うことができ、例えば、各機能に対応して各機能ユニットを区分してもよく、2つ又は2つ以上の機能を1つの処理ユニットに集積してもよい。上記の集積されたユニットはハードウェアの形式で達成してよく、ソフトウェアプログラムモジュールの形式で達成してもよい。なお、本願の実施例おけるユニットの区分は模式的であり、論理的な機能区分の一つに過ぎず、実際に実現する際に別の区分方式は存在してもよい。
【００６５】
集積されたユニットを採用する場合、図7は上記実施例に係るネットワーク装置のある可能な機能ユニット構成ブロック図を示し、該ネットワーク装置は第1のネットワーク装置である。ネットワーク装置700は、処理ユニット702と通信ユニット703を備える。処理ユニット702はネットワーク装置の動作を制御して管理することに用いられ、例えば、処理ユニット702はネットワーク装置が図2におけるステップ201、図4における401及び/又は本明細書に記載の技術のための他のプロセスを実行することをサポートするためのものである。通信ユニット703はネットワーク装置と他の装置との通信、例えば図6に示す端末との間の通信をサポートするためのものである。ネットワーク装置は、ネットワーク装置のプログラムコード及びデータを記憶するための記憶ユニット701を更に備えてもよい。
【００６６】
ここで、処理ユニット702はプロセッサ又はコントローラであってもよく、通信ユニット703は送受信機、送受信回路、無線周波数チップ等であってもよく、記憶ユニット701はメモリであってもよい。
【００６７】
ここで、前記処理ユニット702は、前記通信ユニット703により端末に伝送設定指標TCI状態セットを指示することに用いられ、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられる。
【００６８】
可能な一例において、前記TCI状態セットは少なくとも1つのTCI状態セットを含み、各TCI状態セットは前記端末の1つ又は複数のBWPに対応する。
【００６９】
可能な一例において、前記TCI状態セットはK個のTCI状態を含み、Kは8よりも大きい正の整数であり、前記処理ユニット702は更に、前記TCI状態セットから、目標BWPに対応する目標TCI状態セットを選択することと、前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられることと、に用いられる。
【００７０】
可能な一例において、前記TCI状態セットはK個のTCI状態を含み、Kは8以下の正の整数であり、前記処理ユニット702は更に、前記TCI状態セットから、目標BWPに対応する目標TCI状態セットを選択することと、前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられることと、に用いられる。
【００７１】
可能な一例において、前記TCI状態セットはX個のTCI状態セットを含み、Xは正の整数であり、前記処理ユニット702は更に、前記端末に前記X個のTCI状態セットを設定し、及び/又は、一部又は全部のTCIセットに対して、メディアアクセス制御層制御ユニットMAC CEを用いて対応の8つの状態を選択し、各TCI状態セットは1つ又は複数のBWPに対応することと、前記端末の前記BWPのアクティベーションを指示し、前記指示は前記端末が前記BWPに対応するTCI状態セットを確定すること、及び/又は、前記BWPに対応する前記8つの状態を確定することに用いられることと、に用いられる。
【００７２】
可能な一例において、前記TCI状態セットはX個のTCI状態セットを含み、各TCI状態セットはK個のTCI状態を含み、Kは8よりも大きい正の整数であり、前記処理ユニット702は更に、前記端末の前記BWPのアクティベーションを指示する場合、MAC CEを用いて前記X個のTCIセットから、前記BWPに対応するTCIセットに含まれる8つの状態を選択することに用いられ、前記X個のTCIセットは上位層シグナリングにより予め設定されたものであり、Xは正の整数である。
【００７３】
可能な一例において、前記処理ユニット702は更に、前記端末のBWPのアクティベーションを指示する場合、前記BWPに対応の前記TCI状態セットを設定し、及び/又は、メディアアクセス制御層制御ユニットMAC CEを用いて対応の8つの状態を選択することに用いられる。
【００７４】
処理ユニット702がプロセッサであり、通信ユニット703が通信インタフェースであり、記憶ユニット701がメモリである場合、本願の実施例に係るネットワーク装置は図5に示すネットワーク装置であってもよい。
【００７５】
集積されたユニットを採用する場合、図8は上記実施例に係る端末のある可能な機能ユニット構成ブロック図を示す。端末800は、処理ユニット802と通信ユニット803を備える。処理ユニット802は端末の動作を制御して管理することに用いられ、例えば、処理ユニット802は端末が図3におけるステップ301、図4におけるステップ402及び/又は本明細書に記載の技術のための他のプロセスを実行することをサポートするためのものである。通信ユニット803は端末と他の装置との通信、例えば図5に示すネットワーク装置との間の通信をサポートするためのものである。端末は、端末のプログラムコード及びデータを記憶するための記憶ユニット801を更に備えてもよい。
【００７６】
ここで、処理ユニット802はプロセッサ又はコントローラであってもよく、例えば、中央処理装置（Central Processing Unit，CPU）、汎用プロセッサ、デジタルシグナルプロセッサ（Digital Signal Processor、DSP）、専用集積回路（Application-Specific Integrated Circuit、ASIC）、フィールドプログラマブルゲートアレイ（Field Programmable Gate Array、FPGA）又は他のプログラマブル論理デバイス、トランジスタ論理デバイス、ハードウェア部品又はそれらの任意の組合せであってもよい。本願の開示を参照して説明された様々な例示的な論理ブロック、モジュール及び回路を実現又は実行することができる。前記プロセッサは計算機能を実現する組合せであってもよく、例えば、1つ又は複数のマイクロプロセッサの組合せ、DSPとマイクロプロセッサの組合せ等を含む。通信ユニット803は送受信機、送受信回路等であってもよく、記憶ユニット801はメモリであってもよい。
【００７７】
ここで、前記処理ユニット802は前記通信ユニット803により、ネットワーク装置からの伝送設定指標TCI状態セットを受信することに用いられ、前記TCI状態セットは前記端末の帯域幅部分BWPに対して設定されるものであり、前記TCI状態セットは端末が前記BWPにおいて伝送する時の準同一アドレスQuasi co-location仮定セットを指示することに用いられる。
【００７８】
可能な一例において、前記TCI状態セットは少なくとも1つのTCI状態セットを含み、各TCI状態セットは前記端末の1つ又は複数のBWPに対応する。
【００７９】
可能な一例において、前記TCI状態セットはK個のTCI状態を含み、Kは8よりも大きい正の整数であり、前記処理ユニット802は更に、前記通信ユニット803によりダウンリンク制御情報DCIを受信することに用いられ、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられる。
【００８０】
可能な一例において、前記TCI状態セットはK個のTCI状態を含み、Kは8以下の正の整数であり、前記処理ユニット802は更に、前記通信ユニット803によりダウンリンク制御情報DCIを受信することに用いられ、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられる。
【００８１】
可能な一例において、TCI状態セットはX個のTCI状態セットを含み、Xは正の整数であり、前記処理ユニット802は更に、前記通信ユニット803によりネットワーク装置からの、前記BWPをアクティベーションする指示を受信することと、前記BWPに対応するTCI状態セットを確定し、前記TCI状態セットは前記ネットワーク装置が設定した前記X個のTCI状態セットにおけるTCI状態セットであり、各TCI状態セットは1つ又は複数のBWPに対応することと、に用いられ、及び/又は、前記通信ユニット803によりネットワーク装置からの、前記BWPをアクティベーションする指示を受信することと、前記BWPに対応する8つの状態を確定し、前記8つの状態は、前記ネットワーク装置がメディアアクセス制御層制御ユニットMAC CEを用いて前記BWPに対応するTCI状態セットから選択した状態であることと、に用いられる。
【００８２】
処理ユニット802がプロセッサであり、通信ユニット803が通信インタフェースであり、記憶ユニット801がメモリである場合、本願の実施例に係る端末は図6に示す端末であってもよい。
【００８３】
本願の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例における端末に記載の一部又は全部のステップを実行する。
【００８４】
本願の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例におけるネットワーク装置に記載の一部又は全部のステップを実行する。
【００８５】
本願の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法の実施例における端末に記載の一部又は全部のステップを実行する。該コンピュータプログラム製品は、1つのソフトウェアインストールパッケージであってもよい。
【００８６】
本願の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法におけるネットワーク装置に記載の一部又は全部のステップを実行する。該コンピュータプログラム製品は、1つのソフトウェアインストールパッケージであってもよい。
【００８７】
本願の実施例に記載の方法又はアルゴリズムのステップは、ハードウェアの形態で実現されてもよく、プロセッサによるソフトウェア指令の実行の形態で実現されてもよい。ソフトウェア指令は対応するソフトウェアモジュールで構成してもよく、ソフトウェアモジュールはランダムアクセスメモリ（Random Access Memory、RAM）、フラッシュメモリ、読み出し専用メモリ（Read Only Memory、ROM）、消去可能プログラマブル読み出し専用メモリ（Erasable Programmable ROM、EPROM）、電気的消去可能プログラマブル読み出し専用メモリ（Electrically EPROM、EEPROM）、レジスタ、ハードディスク、リムーバブルディスク、読み取り専用ディスク（CD-ROM）、又は本技術分野で知られている任意の他の形態の記憶媒体に記憶されてもよい。例示的な記憶媒体はプロセッサに結合され、それによりプロセッサは該記憶媒体から情報を読み取り、且つ該記憶媒体に情報を書き込むことができる。もちろん、記憶媒体はプロセッサの構成部分であってもよい。プロセッサ及び記憶媒体はASICに位置してもよい。また、該ASICはアクセスネットワーク装置、ターゲットネットワーク装置又はコアネットワーク装置に位置してもよい。もちろん、プロセッサと記憶媒体は個別の部品としてアクセスネットワーク装置、ターゲットネットワーク装置又はコアネットワーク装置に存在してもよい。
【００８８】
当業者が認識できるように、上記1つ又は複数の例示において、本願の実施例に説明の機能の全部又は一部は、ソフトウェア、ハードウェア、ファームウェア又はそれらの任意の組合せによって実現されてもよい。ソフトウェアで実現する場合、全部又は一部をコンピュータプログラム製品の形態で実現してもよい。前記コンピュータプログラム製品は1つ又は複数のコンピュータ指令を含む。コンピュータに前記コンピュータプログラム指令をロードして実行する場合、本願の実施例の記載に従うフロー又は機能を全部又は一部的に生成する。前記コンピュータは汎用コンピュータ、専用コンピュータ、コンピュータネットワーク、又は他のプログラマブル装置であってもよい。前記コンピュータ指令はコンピュータ読み取り可能な記憶媒体に記憶され、又は1つのコンピュータ読み取り可能な記憶媒体から他のコンピュータ読み取り可能な記憶媒体に伝送されてもよく、例えば、前記コンピュータ指令は、1つのウェブサイト、コンピュータ、サーバ又はデータセンターから有線(例えば同軸ケーブル、光ファイバ、デジタル加入者回線（Digital Subscriber Line、DSL）)又は無線(例えば赤外線、無線、マイクロ波等)により他のウェブサイト、コンピュータ、サーバ又はデータセンターに伝送されてもよい。前記コンピュータ読み取り可能な記憶媒体は、コンピュータがアクセスできる任意の利用可能な媒体、又は1つ又は複数の利用可能な媒体を集積したサーバ、データセンター等のデータ記憶デバイスであってもよい。前記利用可能な媒体は、磁気媒体(例えば、フレキシブルディスク、ハードディスク、磁気テープ)、光媒体(例えば、デジタルビデオディスク（Digital Video Disc、DVD）)、又は半導体媒体(例えば、ソリッドステートディスク（Solid State Disk、SSD）)等であってもよい。
【００８９】
上記具体的な実施形態は、本願の実施例の目的、技術的手段及び有益な効果について更に詳細に説明したが、理解できるように、上記は本願の実施例の具体的な実施形態だけであり、本願の実施例の保護範囲を限定するものではなく、本願の実施例の技術的手段に基づくいかなる修正、等同置き換え、改善等は、いずれも本願の実施例の保護範囲に含まれるべきである。
【図１】
2021515421.tif 000004
【図２】
2021515421.tif 000005
【図３】
2021515421.tif 000006
【図４】
2021515421.tif 000007
【図５】
2021515421.tif 000008
【図６】
2021515421.tif 000009
【図７】
2021515421.tif 000010
【図８】
2021515421.tif 000011
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時に用いる準同一アドレスQCL仮定セットを指示することに用いられることを含むことを特徴とする伝送設定方法。
【請求項２】
前記TCI状態セットは少なくとも1つのTCI状態セットを含み、前記少なくとも1つのTCI状態セットにおいて各TCI状態セットは前記端末の1つ又は複数のBWPに対応することを特徴とする請求項1に記載の方法。
【請求項３】
前記TCI状態セットはK個のTCI状態を含み、Kは8よりも大きい正の整数であり、前記方法は更に、
前記ネットワーク装置は前記TCI状態セットから、目標BWPに対応する目標TCI状態セットを選択することと、
前記ネットワーク装置は前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項４】
前記TCI状態セットはK個のTCI状態を含み、Kは8以下の正の整数であり、前記方法は更に、
前記ネットワーク装置は前記TCI状態セットから、目標BWPに対応する目標TCI状態セットを選択することと、
前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項５】
前記TCI状態セットはX個のTCI状態セットを含み、Xは正の整数であり、前記方法は更に、
前記ネットワーク装置は前記端末に前記X個のTCI状態セットを設定し、及び/又は、一部又は全部のTCI状態セットに対して、メディアアクセス制御層制御ユニットMAC  CEを用いて対応の8つの状態を選択し、前記X個のTCI状態セットにおいて各TCI状態セットは1つ又は複数のBWPに対応することと、
前記ネットワーク装置は前記端末の前記BWPのアクティベーションを指示し、前記指示は前記端末が前記BWPに対応するTCI状態セットを確定すること、及び/又は、前記BWPに対応する前記8つの状態を確定することに用いられることと、を含むことを特徴とする請求項1〜4のいずれか1項に記載の方法。
【請求項６】
前記TCI状態セットはX個のTCI状態セットを含み、各TCI状態セットはK個のTCI状態を含み、Kは8よりも大きい正の整数であり、前記方法は更に、
前記ネットワーク装置が前記端末の前記BWPのアクティベーションを指示する場合、MAC  CEを用いて前記X個のTCI状態セットから、前記BWPに対応するTCI状態セットに含まれる8つの状態を選択し、前記X個のTCI状態セットは上位層シグナリングにより予め設定されたものであり、Xは正の整数であることを含むことを特徴とする請求項1〜4のいずれか1項に記載の方法。
【請求項７】
前記方法は更に、
前記ネットワーク装置が前記端末のBWPのアクティベーションを指示する場合、前記BWPに対応のTCI状態セットを設定し、及び/又は、メディアアクセス制御層制御ユニットMAC  CEを用いて対応の8つの状態を選択することを含むことを特徴とする請求項1〜4のいずれか1項に記載の方法。
【請求項８】
端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時に用いるQCL仮定セットを指示することに用いられることを含むことを特徴とする伝送設定方法。
【請求項９】
前記TCI状態セットは少なくとも1つのTCI状態セットを含み、前記少なくとも1つのTCI状態セットにおいて各TCI状態セットは前記端末の1つ又は複数のBWPに対応することを特徴とする請求項8に記載の方法。
【請求項１０】
前記TCI状態セットはK個のTCI状態を含み、Kは8よりも大きい正の整数であり、前記方法は更に、
前記端末はダウンリンク制御情報DCIを受信し、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１１】
前記TCI状態セットはK個のTCI状態を含み、Kは8以下の正の整数であり、前記方法は更に、
前記端末はダウンリンク制御情報DCIを受信し、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１２】
TCI状態セットはX個のTCI状態セットを含み、Xは正の整数であり、前記方法は更に、
前記端末はネットワーク装置からの、前記BWPをアクティベーションする指示を受信することと、
前記端末は前記BWPに対応するTCI状態セットを確定し、前記BWPに対応するTCI状態セットは、前記ネットワーク装置が設定した前記X個のTCI状態セットにおけるTCI状態セットであり、前記X個のTCI状態セットにおいて各TCI状態セットは1つ又は複数のBWPに対応することと、を含み、及び/又は、
前記端末はネットワーク装置からの、前記BWPをアクティベーションする指示を受信することと、
前記端末は前記BWPに対応する8つの状態を確定し、前記8つの状態は、前記ネットワーク装置がメディアアクセス制御層制御ユニットMAC  CEを用いて前記BWPに対応するTCI状態セットから選択した状態であることと、を含むことを特徴とする請求項8〜11のいずれか1項に記載の方法。
【請求項１３】
処理ユニットと通信ユニットを備え、
前記処理ユニットは、端末に伝送設定指標TCI状態セットを指示することに用いられ、前記TCI状態セットは前記端末の帯域幅部分BWPに対して設定されるものであり、前記TCI状態セットは端末が前記BWPにおいて伝送する時に用いるQCL仮定セットを指示することに用いられることを特徴とするネットワーク装置。
【請求項１４】
処理ユニットと通信ユニットを備える端末であって、
前記処理ユニットは、ネットワーク装置からの伝送設定指標TCI状態セットを受信することに用いられ、前記TCI状態セットは前記端末の帯域幅部分BWPに対して設定されるものであり、前記TCI状態セットは端末が前記BWPにおいて伝送する時に用いるQCL仮定セットを指示することに用いられることを特徴とする端末。
【請求項１５】
プロセッサ、メモリ、送受信機、1つ又は複数のプログラムを備え、前記1つ又は複数のプログラムは前記メモリに記憶されて、前記プロセッサにより実行されるように設定され、前記プログラムは、請求項1〜7のいずれか1項に記載の方法におけるステップを実行するための指令を含むことを特徴とするネットワーク装置。
【請求項１６】
プロセッサ、メモリ、通信インタフェース、1つ又は複数のプログラムを備え、前記1つ又は複数のプログラムは前記メモリに記憶されて、前記プロセッサにより実行されるように設定され、前記プログラムは、請求項8〜12のいずれか1項に記載の方法におけるステップを実行するための指令を含むことを特徴とする端末。
【請求項１７】
電子データ交換のためのコンピュータプログラムが記憶され、前記コンピュータプログラムによりコンピュータは請求項1〜7のいずれか1項に記載の方法を実行することを特徴とするコンピュータ読み取り可能な記憶媒体。
【請求項１８】
電子データ交換のためのコンピュータプログラムが記憶され、前記コンピュータプログラムによりコンピュータは請求項8〜12のいずれか1項に記載の方法を実行することを特徴とするコンピュータ読み取り可能な記憶媒体。
【手続補正書】
【提出日】令和2年12月17日(2020.12.17)
【手続補正１】
【補正対象書類名】明細書
【補正対象項目名】０００６
【補正方法】変更
【補正の内容】
【０００６】
第3の態様において、本願の実施例はネットワーク装置を提供し、該ネットワーク装置は上記方法設計におけるネットワーク装置の挙動を実現する機能を有する。前記機能はハードウェアによって実現されてもよく、ハードウェアが対応のソフトウェアを実行することによって実現されてもよい。前記ハードウェア又はソフトウェアは、上記機能に対応する1つ又は複数のモジュールを含む。1つの可能な設計において、ネットワーク装置はプロセッサを備え、前記プロセッサはネットワーク装置が上記方法における対応の機能を実行することをサポートするように設定される。更に、ネットワーク装置は送受信機を備えてもよく、前記送受信機はネットワーク装置と端末との間の通信をサポートすることに用いられる。更に、ネットワーク装置はメモリを備えてもよく、前記メモリはプロセッサとカップリングすることに用いられ、ネットワーク装置に必要なプログラム指令とデータを保存する。
【手続補正２】
【補正対象書類名】明細書
【補正対象項目名】００３３
【補正方法】変更
【補正の内容】
【００３３】
可能な一例において、前記TCI状態セットはX個のTCI状態セットを含み、Xは正の整数であり、前記方法は更に、前記ネットワーク装置は前記端末に前記X個のTCI状態セットを設定し、及び/又は、一部又は全部のTCI状態セットに対して、メディアアクセス制御層制御ユニットMAC CEを用いて対応の8つの状態を選択し、各TCI状態セットは1つ又は複数のBWPに対応することと、前記ネットワーク装置は前記端末の前記BWPのアクティベーションを指示し、前記指示は前記端末が前記BWPに対応するTCI状態セットを確定すること、及び/又は、前記BWPに対応する前記8つの状態を確定することに用いられることと、を含む。
【手続補正３】
【補正対象書類名】明細書
【補正対象項目名】００３５
【補正方法】変更
【補正の内容】
【００３５】
他の例示において、前記ネットワーク装置は一部又は全部のTCI状態セットに対して、メディアアクセス制御層制御ユニットMAC CEを用いて対応の8つの状態を選択し、及び前記端末の前記BWPのアクティベーションを指示してもよく、前記指示は前記端末が前記BWPに対応する前記8つの状態を確定することに用いられる。
【手続補正４】
【補正対象書類名】明細書
【補正対象項目名】００３６
【補正方法】変更
【補正の内容】
【００３６】
これから分かるように、本例示において、ネットワーク装置はX個のTCI状態セットを設定すること、及び/又は、一部又は全部のTCI状態セットに対して、メディアアクセス制御層制御ユニットMAC CEを用いて対応の8つの状態を選択することにより、端末はBWPに対応するTCI状態セットを確定でき、及び/又は、BWPに対応する8つの状態を確定できる。柔軟性を更に高める。
【手続補正５】
【補正対象書類名】明細書
【補正対象項目名】００３７
【補正方法】変更
【補正の内容】
【００３７】
可能な一例において、前記TCI状態セットはX個のTCI状態セットを含み、各TCI状態セットはK個のTCI状態を含み、Kは8よりも大きい正の整数であり、前記方法は更に、前記ネットワーク装置が前記端末の前記BWPのアクティベーションを指示する場合、MAC CEを用いて前記X個のTCI状態セットから、前記BWPに対応するTCI状態セットに含まれる8つの状態を選択し、前記X個のTCI状態セットは上位層シグナリングにより予め設定されたものであり、Xは正の整数であることを含む。
【手続補正６】
【補正対象書類名】明細書
【補正対象項目名】００３８
【補正方法】変更
【補正の内容】
【００３８】
これから分かるように、本例示において、Kが8よりも大きい場合に対して、ネットワーク装置は、端末の前記BWPをアクティベーションする時に、直接にMAC CEを用いてBWPに対応するTCI状態セットに含まれる8つの状態を選択して、設定効率を高めることができる。
【手続補正７】
【補正対象書類名】明細書
【補正対象項目名】００５４
【補正方法】変更
【補正の内容】
【００５４】
可能な一例において、前記TCI状態セットはX個のTCI状態セットを含み、Xは正の整数であり、前記プログラムは更に、前記端末に前記X個のTCI状態セットを設定し、及び/又は、一部又は全部のTCI状態セットに対して、メディアアクセス制御層制御ユニットMAC CEを用いて対応の8つの状態を選択し、各TCI状態セットは1つ又は複数のBWPに対応するステップと、前記端末の前記BWPのアクティベーションを指示し、前記指示は前記端末が前記BWPに対応するTCI状態セットを確定すること、及び/又は、前記BWPに対応する前記8つの状態を確定することに用いられるステップと、を実行するための指令を含む。
【手続補正８】
【補正対象書類名】明細書
【補正対象項目名】００５５
【補正方法】変更
【補正の内容】
【００５５】
可能な一例において、前記TCI状態セットはX個のTCI状態セットを含み、各TCI状態セットはK個のTCI状態を含み、Kは8よりも大きい正の整数であり、前記プログラムは更に、前記端末の前記BWPのアクティベーションを指示する場合、MAC CEを用いて前記X個のTCI状態セットから、前記BWPに対応するTCI状態セットに含まれる8つの状態を選択するステップを実行するための指令を含み、前記X個のTCI状態セットは上位層シグナリングにより予め設定されたものであり、Xは正の整数である。
【手続補正９】
【補正対象書類名】明細書
【補正対象項目名】００７１
【補正方法】変更
【補正の内容】
【００７１】
可能な一例において、前記TCI状態セットはX個のTCI状態セットを含み、Xは正の整数であり、前記処理ユニット702は更に、前記端末に前記X個のTCI状態セットを設定し、及び/又は、一部又は全部のTCI状態セットに対して、メディアアクセス制御層制御ユニットMAC CEを用いて対応の8つの状態を選択し、各TCI状態セットは1つ又は複数のBWPに対応することと、前記端末の前記BWPのアクティベーションを指示し、前記指示は前記端末が前記BWPに対応するTCI状態セットを確定すること、及び/又は、前記BWPに対応する前記8つの状態を確定することに用いられることと、に用いられる。
【手続補正１０】
【補正対象書類名】明細書
【補正対象項目名】００７２
【補正方法】変更
【補正の内容】
【００７２】
可能な一例において、前記TCI状態セットはX個のTCI状態セットを含み、各TCI状態セットはK個のTCI状態を含み、Kは8よりも大きい正の整数であり、前記処理ユニット702は更に、前記端末の前記BWPのアクティベーションを指示する場合、MAC CEを用いて前記X個のTCI状態セットから、前記BWPに対応するTCI状態セットに含まれる8つの状態を選択することに用いられ、前記X個のTCI状態セットは上位層シグナリングにより予め設定されたものであり、Xは正の整数である。
【手続補正１１】
【補正対象書類名】特許請求の範囲
【補正対象項目名】全文
【補正方法】変更
【補正の内容】
【特許請求の範囲】
【請求項１】
ネットワーク装置は端末に伝送設定指標TCI状態セットを指示し、前記TCI状態セットは前記端末の帯域幅部分BWPに対して設定されるものであり、前記TCI状態セットは端末が前記BWPにおいて伝送する時に用いる準同一アドレスQCL仮定セットを指示することに用いられることを含むことを特徴とする伝送設定方法。
【請求項２】
前記TCI状態セットは少なくとも1つのTCI状態セットを含み、前記少なくとも1つのTCI状態セットにおいて各TCI状態セットは前記端末の1つ又は複数のBWPに対応することを特徴とする請求項1に記載の方法。
【請求項３】
前記TCI状態セットはK個のTCI状態を含み、Kは8よりも大きい正の整数であり、前記方法は更に、
前記ネットワーク装置は前記TCI状態セットから、目標BWPに対応する目標TCI状態セットを選択することと、
前記ネットワーク装置は前記目標TCI状態セットにおけるK個のTCI状態から8つのTCI状態を選択し、前記8つのTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項４】
前記TCI状態セットはK個のTCI状態を含み、Kは8以下の正の整数であり、前記方法は更に、
前記ネットワーク装置は前記TCI状態セットから、目標BWPに対応する目標TCI状態セットを選択することと、
前記目標TCI状態セットにおけるK個のTCI状態はダウンリンク制御情報DCIの3つのビット位の指示情報に対応し、前記DCIは前記目標BWPが現在伝送に使用する準同一アドレス仮定状態を指示することに用いられることと、を含むことを特徴とする請求項1又は2に記載の方法。
【請求項５】
前記TCI状態セットはX個のTCI状態セットを含み、Xは正の整数であり、前記方法は更に、
前記ネットワーク装置は前記端末に前記X個のTCI状態セットを設定し、及び/又は、一部又は全部のTCI状態セットに対して、メディアアクセス制御層制御ユニットMAC CEを用いて対応の8つの状態を選択し、前記X個のTCI状態セットにおいて各TCI状態セットは1つ又は複数のBWPに対応することと、
前記ネットワーク装置は前記端末の前記BWPのアクティベーションを指示し、前記指示は前記端末が前記BWPに対応するTCI状態セットを確定すること、及び/又は、前記BWPに対応する前記8つの状態を確定することに用いられることと、を含むことを特徴とする請求項1〜4のいずれか1項に記載の方法。
【請求項６】
前記TCI状態セットはX個のTCI状態セットを含み、各TCI状態セットはK個のTCI状態を含み、Kは8よりも大きい正の整数であり、前記方法は更に、
前記ネットワーク装置が前記端末の前記BWPのアクティベーションを指示する場合、MAC CEを用いて前記X個のTCI状態セットから、前記BWPに対応するTCI状態セットに含まれる8つの状態を選択し、前記X個のTCI状態セットは上位層シグナリングにより予め設定されたものであり、Xは正の整数であることを含むことを特徴とする請求項1〜4のいずれか1項に記載の方法。
【請求項７】
前記方法は更に、
前記ネットワーク装置が前記端末のBWPのアクティベーションを指示する場合、前記BWPに対応のTCI状態セットを設定し、及び/又は、メディアアクセス制御層制御ユニットMAC CEを用いて対応の8つの状態を選択することを含むことを特徴とする請求項1〜4のいずれか1項に記載の方法。
【請求項８】
端末はネットワーク装置からの伝送設定指標TCI状態セットを受信し、前記TCI状態セットは前記端末の帯域幅部分BWPに対して設定されるものであり、前記TCI状態セットは端末が前記BWPにおいて伝送する時に用いるQCL仮定セットを指示することに用いられることを含むことを特徴とする伝送設定方法。
【請求項９】
前記TCI状態セットは少なくとも1つのTCI状態セットを含み、前記少なくとも1つのTCI状態セットにおいて各TCI状態セットは前記端末の1つ又は複数のBWPに対応することを特徴とする請求項8に記載の方法。
【請求項１０】
前記TCI状態セットはK個のTCI状態を含み、Kは8よりも大きい正の整数であり、前記方法は更に、
前記端末はダウンリンク制御情報DCIを受信し、前記DCIの3つのビット位の指示情報は8つのTCI状態に対応し、前記8つのTCI状態は前記ネットワーク装置が目標TCI状態セットにおけるK個のTCI状態から選択したものであり、前記目標TCI状態セットは前記ネットワーク装置が前記TCI状態セットから選択した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１１】
前記TCI状態セットはK個のTCI状態を含み、Kは8以下の正の整数であり、前記方法は更に、
前記端末はダウンリンク制御情報DCIを受信し、前記DCIの3つのビット位の指示情報は目標TCI状態セットにおけるK個のTCI状態に対応し、前記目標TCI状態セットは前記端末が前記TCI状態セットから確定した目標BWPに対応するTCI状態セットであり、前記DCIは前記目標BWPが現在伝送に使用する準同一アドレス仮定状態を指示することに用いられることを含むことを特徴とする請求項8又は9に記載の方法。
【請求項１２】
TCI状態セットはX個のTCI状態セットを含み、Xは正の整数であり、前記方法は更に、
前記端末はネットワーク装置からの、前記BWPをアクティベーションする指示を受信することと、
前記端末は前記BWPに対応するTCI状態セットを確定し、前記BWPに対応するTCI状態セットは、前記ネットワーク装置が設定した前記X個のTCI状態セットにおけるTCI状態セットであり、前記X個のTCI状態セットにおいて各TCI状態セットは1つ又は複数のBWPに対応することと、を含み、及び/又は、
前記端末はネットワーク装置からの、前記BWPをアクティベーションする指示を受信することと、
前記端末は前記BWPに対応する8つの状態を確定し、前記8つの状態は、前記ネットワーク装置がメディアアクセス制御層制御ユニットMAC CEを用いて前記BWPに対応するTCI状態セットから選択した状態であることと、を含むことを特徴とする請求項8〜11のいずれか1項に記載の方法。
【請求項１３】
プロセッサ、メモリ、送受信機、1つ又は複数のプログラムを備え、前記1つ又は複数のプログラムは前記メモリに記憶されて、前記プロセッサにより実行されるように設定され、前記プログラムは、請求項1〜7のいずれか1項に記載の方法におけるステップを実行するための指令を含むことを特徴とするネットワーク装置。
【請求項１４】
プロセッサ、メモリ、通信インタフェース、1つ又は複数のプログラムを備え、前記1つ又は複数のプログラムは前記メモリに記憶されて、前記プロセッサにより実行されるように設定され、前記プログラムは、請求項8〜12のいずれか1項に記載の方法におけるステップを実行するための指令を含むことを特徴とする端末。
【国際調査報告】
2021515421.tif 000012
2021515421.tif 000013
2021515421.tif 000014
2021515421.tif 000015